(57)【要約】【課題】回転軸の不意な回転を抑制すること。【解決手段】ケーシングの内側に互いに並んで延伸して設けられ、それぞれ複数の撹拌翼を有する２本の回転軸を備えた撹拌翼付乾燥機の回転軸の固定方法であって、前記ケーシングの外側に前記２本の回転軸の回転に伴ってそれぞれ回転する２つのディスクを備え、前記２つのディスクそれぞれに回転を抑制するパッドを固定する、撹拌翼付乾燥機の回転軸の固定方法。【選択図】図３
2018169143.tif 000002
【特許請求の範囲】
【請求項１】
ケーシングの内側に互いに並んで延伸して設けられ、それぞれ複数の撹拌翼を有する２本の回転軸を備えた撹拌翼付乾燥機の回転軸の固定方法であって、
前記ケーシングの外側に前記２本の回転軸の回転に伴ってそれぞれ回転する２つのディスクを備え、
前記２つのディスクそれぞれに回転を抑制するパッドを固定する、撹拌翼付乾燥機の回転軸の固定方法。
【請求項２】
互いに並んで設けられた前記２つのディスクの両方にまたがって前記パッドを固定する、請求項１記載の撹拌翼付乾燥機の回転軸の固定方法。
【請求項３】
ケーシングの内側に互いに並んで延伸して設けられ、それぞれ複数の撹拌翼を有する２本の回転軸と、
前記ケーシングの外側に互いに並んで設けられ、前記２本の回転軸の回転に伴ってそれぞれ回転すると共に、回転を抑制するためのパッドが両方にまたがって固定される２つのディスクと、を備える撹拌翼付乾燥機。
【発明の詳細な説明】
【技術分野】
【０００１】
本発明は、撹拌翼付乾燥機の回転軸の固定方法及び撹拌翼付乾燥機に関する。
【背景技術】
【０００２】
ケーシング内に互いに逆方向に回転する２本の撹拌翼付回転軸を互いに平行に延伸させて配置し、ケーシングの一端側から供給された湿潤物質を回転軸に固定された撹拌翼により他端側へ搬送する間に乾燥させる撹拌翼付乾燥機が知られている（例えば、特許文献１）。
【先行技術文献】
【特許文献】
【０００３】
【特許文献１】特開２０１４−９８７６号公報
【発明の開示】
【発明が解決しようとする課題】
【０００４】
撹拌翼付乾燥機のメンテナンス作業で、作業員が回転軸の上に乗って作業をする場合がある。このときに、回転軸が不意に回転すると作業員が負傷する恐れがある。
【０００５】
本発明は、上記課題に鑑みなされたものであり、回転軸の不意な回転を抑制することを目的とする。
【課題を解決するための手段】
【０００６】
本発明は、ケーシングの内側に互いに並んで延伸して設けられ、それぞれ複数の撹拌翼を有する２本の回転軸を備えた撹拌翼付乾燥機の回転軸の固定方法であって、前記ケーシングの外側に前記２本の回転軸の回転に伴ってそれぞれ回転する２つのディスクを備え、前記２つのディスクそれぞれに回転を抑制するパッドを固定する、撹拌翼付乾燥機の回転軸の固定方法である。
【０００７】
上記構成において、互いに並んで設けられた前記２つのディスクの両方にまたがって前記パッドを固定する構成とすることができる。
【０００８】
本発明は、ケーシングの内側に互いに並んで延伸して設けられ、それぞれ複数の撹拌翼を有する２本の回転軸と、前記ケーシングの外側に互いに並んで設けられ、前記２本の回転軸の回転に伴ってそれぞれ回転すると共に、回転を抑制するためのパッドが両方にまたがって固定される２つのディスクと、を備える撹拌翼付乾燥機である。
【発明の効果】
【０００９】
本発明によれば、回転軸の不意な回転を抑制できる。
【図面の簡単な説明】
【００１０】
【図１】図１（ａ）は、実施例に係る撹拌翼付乾燥機の長手方向の内部透過図、図１（ｂ）は、短手方向の内部透過図、図１（ｃ）は、図１（ａ）のＡ方向から見た図である。
【図２】図２（ａ）は、比較例に係る撹拌翼付乾燥機の長手方向の内部透過図、図２（ｂ）は、短手方向の内部透過図、図２（ｃ）は、メンテナンス作業を説明する図である。
【図３】図３（ａ）は、回転軸の固定方法を示す図、図３（ｂ）は、図３（ａ）のＡ方向から見た図である。
【図４】図４は、パッドの他の固定方法を示す図である。
【発明を実施するための形態】
【００１１】
以下、図面を参照して、本発明の実施例について説明する。
【実施例】
【００１２】
図１（ａ）は、実施例に係る撹拌翼付乾燥機１００の長手方向の内部透過図、図１（ｂ）は、短手方向の内部透過図、図１（ｃ）は、図１（ａ）のＡ方向から見た図である。図１（ａ）から図１（ｃ）のように、撹拌翼付乾燥機１００は、ケーシング１０と、それぞれ複数の撹拌翼１４を有する回転軸１２ａ、１２ｂと、ディスク１６ａ、１６ｂと、を備える。
【００１３】
ケーシング１０は横長になっていて、ケーシング１０の内側に回転軸１２ａ、１２ｂが互いに並んで延伸している。回転軸１２ａ、１２ｂは互いに逆方向に同一速度で回転するように制御される。複数の撹拌翼１４は、回転軸１２ａ、１２ｂそれぞれに一定の間隔を置いて固定されている。回転軸１２ａに固定された撹拌翼１４と固定軸１２ｂに固定された撹拌翼１４とは互い違いに配置されている。撹拌翼１４は例えば扇形形状をしている。
【００１４】
ケーシング１０の一端側に設けられた投入口３０に投入された原料は、回転軸１２ａ、１２ｂが回転することで撹拌翼１４によって粉砕されつつ、ケーシング１０の他端側に設けられた排出口３２へと搬送される。回転軸１２ａ、１２ｂ及び撹拌翼１４は中空状であり、内部に例えば蒸気が導入されることで、ケーシング１０内で原料を加熱する。また、ケーシング１０には、原料からの蒸発成分を外部へと排出するキャリアエアー用の吸気口３４及び排気口３６が設けられている。このような構造により、投入口３０に投入された原料は、粉砕されながら乾燥されて排出口３２へと搬送される。
【００１５】
ディスク１６ａ、１６ｂは、ケーシング１０の外側で回転軸１２ａ、１２ｂに対して同一箇所で互いに並んで設けられている。ディスク１６ａ、１６ｂは中央に貫通孔を有する円盤形状をしている。ディスク１６ａ、１６ｂそれぞれの貫通孔に回転軸１２ａ、１２ｂそれぞれが挿入されて固定されている。これにより、ディスク１６ａ、１６ｂは回転軸１２ａ、１２ｂの回転に伴って回転する。ディスク１６ａ、１６ｂは、回転軸１２ａ、１２ｂの回転を抑えるためのパッドを固定するために設けられたものである。
【００１６】
図２（ａ）は、比較例に係る撹拌翼付乾燥機５００の長手方向の内部透過図、図２（ｂ）は、短手方向の内部透過図、図２（ｃ）は、メンテナンス作業を説明する図である。図２（ａ）及び図２（ｂ）のように、比較例の撹拌翼付乾燥機５００では、回転軸１２ａ、１２ｂにディスク１６ａ、１６ｂが固定されていない。その他の構成は実施例と同じである。
【００１７】
図２（ｃ）のように、メンテナンス作業において、ケーシング１０の上蓋を外して回転軸１２ａ、１２ｂを露出させ、作業員４０が回転軸１２ａ、１２ｂの上に乗って作業をする場合がある。例えば、作業員４０は回転軸１２ａ、１２ｂの上に乗り、かがんだ状態で作業をする場合がある。この場合、作業員４０の移動などによって回転軸１２ａ、１２ｂが不意に回転してしまうことがある。回転軸１２ａ、１２ｂが回転すると、作業員４０がその回転に巻き込まれて負傷することが起こり得る。
【００１８】
そこで、実施例の撹拌翼付乾燥機１００では、回転軸１２ａ、１２ｂの回転に伴って回転するディスク１６ａ、１６ｂを設け、以下のようにして回転軸１２ａ、１２ｂを固定する。図３（ａ）は、回転軸１２ａ、１２ｂの固定方法を示す図、図３（ｂ）は、図３（ａ）のＡ方向から見た図である。図３（ａ）及び図３（ｂ）のように、パッド２０に設けられた孔にボルト２２を挿入し、ディスク１６ａ、１６ｂそれぞれの両側からボルト２２によってパッド２０をディスク１６ａ、１６ｂに固定する。すなわち、ディスク１６ａ、１６ｂには孔が設けられていない。パッド２０は、例えばディスク１６ａ、１６ｂそれぞれの両側から２箇所ずつボルト２２で固定される。これにより、パッド２０はディスク１６ａ、１６ｂの両方にまたがって固定される。ボルト２２がディスク１６ａ、１６ｂを押さえ付け、パッド２０がボルト２２によってディスク１６ａ、１６ｂに固定されることで、ディスク１６ａ、１６ｂの回転が抑制される。つまり、回転軸１２ａ、１２ｂの回転が抑制される。したがって、作業員が回転軸１２ａ、１２ｂの上に乗ってメンテナンス作業を行った場合でも、回転軸１２ａ、１２ｂが不意に回転することが抑制される。
【００１９】
以上のように、実施例の撹拌翼付乾燥機１００は、ケーシング１０の外側に互いに並んで設けられ、回転軸１２ａ、１２ｂの回転に伴ってそれぞれ回転すると共に、回転を抑制するためのパッド２０が両方にまたがって固定されるディスク１６ａ、１６ｂを備える。これにより、図３（ａ）及び図３（ｂ）のように、ディスク１６ａ、１６ｂの両方にまたがってパッド２０を固定することで、回転軸１２ａ、１２ｂが不意に回転することが抑制される。その結果、例えばメンテナンス作業のときに作業員４０が回転軸１２ａ、１２ｂの不意の回転に巻き込まれて負傷することを抑制できる。
【００２０】
また、ディスク１６ａ、１６ｂがケーシング１０の外側に設けられることで、パッド２０の固定が容易にできると共に、パッド２０が固定されているか否かを外部から容易に判別できる。
【００２１】
なお、実施例では、パッド２０がディスク１６ａ、１６ｂの両方にまたがって固定される場合を例に示したが、回転軸１２ａ、１２ｂの回転を抑制できれば、パッド２０はその他の方法でディスク１６ａ、１６ｂに固定されてもよい。図４は、パッドの他の固定方法を示す図である。図４のように、パッド２０ａがディスク１６ａとケーシング１０とに固定され、パッド２０ｂがディスク１６ｂとケーシング１０とに固定されてもよい。この場合でも、ディスク１６ａ、１６ｂの回転が抑制されることから、回転軸１２ａ、１２ｂの回転を抑制できる。しかしながら、図３（ａ）及び図３（ｂ）のように、ディスク１６ａ、１６ｂの両方にまたがってパッド２０を固定することが好ましい。これにより、パッド２０をケーシング１０に固定することなく、ディスク１６ａ、１６ｂに固定するだけで回転軸１２ａ、１２ｂの回転を抑制することができるためである。また、パッド２０を１つ用いれば済むため部品点数を削減できるためである。
【００２２】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００２３】
１０  ケーシング
１２ａ、１２ｂ  回転軸
１４  撹拌翼
１６ａ、１６ｂ  ディスク
２０〜２０ｂ  パッド
２２  ボルト
１００  撹拌翼付乾燥機
【図１】
2018169143.tif 000003
【図２】
2018169143.tif 000004
【図３】
2018169143.tif 000005
【図４】
2018169143.tif 000006
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
ケーシングの内側に互いに並んで延伸して設けられ、それぞれ複数の撹拌翼を有する２本の回転軸を備えた撹拌翼付乾燥機の回転軸の固定方法であって、
前記ケーシングの外側に前記２本の回転軸の回転に伴ってそれぞれ回転する２つのディスクを備え、
前記２つのディスクそれぞれに回転を抑制するパッドを前記ディスクを挟むように固定する、撹拌翼付乾燥機の回転軸の固定方法。
【請求項２】
前記パッドを前記ディスクを挟むように固定する工程は、前記パッドに設けられた孔に前記ディスクを挟むようにボルトを挿入することで前記パッドを前記ディスクを挟むように固定する、請求項１記載の撹拌翼付乾燥機の回転軸の固定方法。
【請求項３】
ケーシングの内側に互いに並んで延伸して設けられ、それぞれ複数の撹拌翼を有する２本の回転軸を備えた撹拌翼付乾燥機の回転軸の固定方法であって、
前記ケーシングの外側に前記２本の回転軸の回転に伴ってそれぞれ回転する２つのディスクを備え、
互いに並んで設けられた前記２つのディスクの両方にまたがって回転を抑制するパッドを固定する、撹拌翼付乾燥機の回転軸の固定方法。
【請求項４】
ケーシングの内側に互いに並んで延伸して設けられ、それぞれ複数の撹拌翼を有する２本の回転軸と、
前記ケーシングの外側に互いに並んで設けられ、前記２本の回転軸の回転に伴ってそれぞれ回転すると共に、回転を抑制するためのパッドが両方にまたがって固定される２つのディスクと、を備える撹拌翼付乾燥機。
【手続補正２】
【補正対象書類名】明細書
【補正対象項目名】０００６
【補正方法】変更
【補正の内容】
【０００６】
本発明は、ケーシングの内側に互いに並んで延伸して設けられ、それぞれ複数の撹拌翼を有する２本の回転軸を備えた撹拌翼付乾燥機の回転軸の固定方法であって、前記ケーシングの外側に前記２本の回転軸の回転に伴ってそれぞれ回転する２つのディスクを備え、前記２つのディスクそれぞれに回転を抑制するパッドを前記ディスクを挟むように固定する、撹拌翼付乾燥機の回転軸の固定方法である。上記構成において、前記パッドを前記ディスクを挟むように固定する工程は、前記パッドに設けられた孔に前記ディスクを挟むようにボルトを挿入することで前記パッドを前記ディスクを挟むように固定する構成とすることができる。
【手続補正３】
【補正対象書類名】明細書
【補正対象項目名】０００７
【補正方法】変更
【補正の内容】
【０００７】
本発明は、ケーシングの内側に互いに並んで延伸して設けられ、それぞれ複数の撹拌翼を有する２本の回転軸を備えた撹拌翼付乾燥機の回転軸の固定方法であって、前記ケーシングの外側に前記２本の回転軸の回転に伴ってそれぞれ回転する２つのディスクを備え、互いに並んで設けられた前記２つのディスクの両方にまたがって回転を抑制するパッドを固定する、撹拌翼付乾燥機の回転軸の固定方法である。